(57)【要約】【課題】幕板の開閉状態が把握できず、頻繁に球詰りを起こす場所を特定できない。【解決手段】複数のパチンコ機５が列設され、その上部に前記パチンコ機５の列方向に分断されて上端部が躯体１０ａに枢着された幕板１２を開閉自在に設けたパチンコ機設置島１であって、前記幕板１２の開放に伴い従動し該幕板１２の開放状態を保持する支持手段３５と、前記幕板１２の開放を検出する検知手段４１と、前記検知手段４１の検知信号を管理する管理装置２７とを備えた。【選択図】図３
2005066132.tif 000002
【特許請求の範囲】
【請求項１】
複数のパチンコ機が列設され、その上部に前記パチンコ機の列方向に分断されて上端部が躯体に枢着された幕板を開閉自在に設けたパチンコ機設置島であって、
前記幕板の開放に伴い従動し該幕板の開放状態を保持する支持手段と、前記幕板の開放を検出する検知手段と、前記検知手段の検知信号を管理する管理装置とを備えたことを特徴とするパチンコ機設置島。
【請求項２】
前記支持手段は、躯体に固定する取付基部と、前記取付基部に略水平方向に回転自在に設けられた支持部材と、前記支持部材を前方に張出すように付勢する弾性部材とからなることを特徴とする請求項１記載のパチンコ機設置島。
【請求項３】
前記取付基部に検知手段を設け前記支持部材の回転に伴って該検知手段が作動するようにしたことを特徴とする請求項２記載のパチンコ機設置島。
【請求項４】
前記支持部材に可動体を位置調整自在に設け、前記支持部材の回転に伴い前記検知手段を作動させるタイミングを調整し得るようにしたことを特徴とする請求項２又は３記載のパチンコ機設置島。
【発明の詳細な説明】
【技術分野】
【０００１】
本発明は、パチンコ機設置島に関し、特にパチンコ機の上部に幕板が開閉自在に設けられるパチンコ機設置島に関するものである。
【背景技術】
【０００２】
従来、パチンコ機設置島には、パチンコ機の上部に呼出ランプが設けられ、その上方にパチンコ機の列方向に分断された幕板が上端部を軸支して開閉自在に設けられている。そして、前記幕板を開放してパチンコ球を各パチンコ機に補給する補給樋又は分流樋等の保守点検及び修理を行うようにしている（例えば、特許文献１参照。）。具体的には、遊技中にパチンコ球が払出されないと、遊技者は呼出ランプを操作して従業員を呼出し、従業員は幕板を開放して補給樋又は分流樋を点検修理して球詰りを解消するようにしている。
【０００３】
また、パチンコ機は前面枠が自由端を施錠装置により施錠するように開閉自在に装着され、該前面枠の裏面にはパチンコ機の遊技内容を制御する回路基盤が設けられている（例えば、特許文献２参照。）。前記回路基盤は、遊技内容を制御するものであるため、不正に入手した鍵を使用して施錠装置を解錠し、前記回路基盤を不正に交換し多量の賞球を獲得する不正行為が行われている。このため、錠を交換することなく鍵を変更することができ、不正の防止にも役立つ可変式錠も開示されている（例えば、特許文献３参照。）。
【特許文献１】特開平１０−５２５５６号公報
【特許文献２】特開平１１−２４４４９３号公報
【特許文献３】特許第２８９３６１４号公報
【発明の開示】
【発明が解決しようとする課題】
【０００４】
しかしながら、従来のパチンコ機設置島においては、頻繁に球詰りする個所があったとしても、ホールに従業員が何人もいるため、同じ従業員が球詰りの解消をするとは限らず、頻繁にトラブルが発生していることを認識できず、遊技者に何度も迷惑を掛けることになっている。また、球詰り個所の部品交換をしようとしても、記憶が曖昧でどこが頻繁に球詰りする場所なのかが特定することができないため、結局すべての補給樋又は分流樋を点検しなければならず、時間と手間がかかっていた。
【０００５】
また、パチンコ機の錠を前記可変式錠にしたとしても、幕板がパチンコ機の上方に位置して開閉自在に設けられているため、閉店後にホールに忍び込んで幕板を開放して、鍵を使用しなくても、パチンコ機の裏面側から施錠装置を解錠して前面枠を開放することができ、その結果回路基盤が交換されてしまい、開店後に多量のパチンコ球を不正に取得されてから不正な改造行為が発覚するという問題があります。そして、その不正行為を防止するために、幕板に施錠装置を装着すれば、その問題は簡単に解決するように思われます。しかし、幕板に施錠装置を装着すると、営業中に補給樋等で球詰りが発生した場合に、その都度幕板の解錠操作をしてから補給樋等を点検修理することになるため時間がかかってしまいます。そもそも、少しでも早く球詰りを解消して賞球が払出されるようにしないと、遊技が中断して遊技者に多大な損害を与えることにもなりかねません。したがって、実情からして幕板に施錠装置を装着することには無理があると言わざるを得ません。
【課題を解決するための手段】
【０００６】
そのために、請求項１記載の発明は、複数のパチンコ機が列設され、その上部に前記パチンコ機の列方向に分断されて上端部が躯体に枢着された幕板を開閉自在に設けたパチンコ機設置島であって、前記幕板の開放に伴い従動し該幕板の開放状態を保持する支持手段と、前記幕板の開放を検出する検知手段と、前記検知手段の検知信号を管理する管理装置とを備えたことを特徴とする。ここでいう「躯体」とはパチンコ機設置島を構成する枠体であり、縦横に設けられるものである。
【０００７】
請求項２記載の発明は、請求項１記載の発明において、前記支持手段は、躯体に固定する取付基部と、前記取付基部に略水平方向に回転自在に設けられた支持部材と、前記支持部材を前方に張出すように付勢する弾性部材とからなることを特徴とする。
【０００８】
請求項３記載の発明は、請求項２記載の発明において、前記取付基部に検知手段を設け前記支持部材の回転に伴って該検知手段が作動するようにしたことを特徴とする。前記取付基部に検知手段を設けることにより、幕板と検知手段との煩わしい位置調整をなくすことができる。
【０００９】
請求項４記載の発明は、請求項２又は３記載の発明において、前記支持部材に可動体を位置調整自在に設け、前記支持部材の回転に伴い前記検知手段を作動させるタイミングを調整し得るようにしたことを特徴とする。
【００１０】
前記検知手段の検知信号により幕板の開放を報知する報知手段を設けるのが好ましい。前記報知手段は点滅又は点灯するランプであり、パチンコ機の上方に設けられる呼出ランプを使用するようにしてもよく、呼出ランプを兼用することでコストの低減化はもちろんのこと一目で幕板の開放場所を把握することができる。但し、通常の呼出ランプの点灯の仕方と幕板の開放を報知する報知手段としてのランプの点灯の仕方を変更するのがよく、前記呼出ランプの点灯を消灯するリセットスイッチは別途設けるのが好ましい。また、前記報知手段は、スピーカ等の音声出力手段により報知するようにしてもよい。また、前記幕板の開放報知のリセット操作は、ホールコンピュータから操作するようにしてもよい。
【００１１】
前記検出手段に並列してコンデンサを接続し、主電源の投入状態で該コンデンサを充電し、主電源の断電状態で前記検出手段が作動することによって、該コンデンサの荷電が放電するようにするのが好ましい。このようにすることで、主電源を断電した閉店後の幕板の不正開放を検出でき、開店前に不正を発見して未然に損害を阻止することができる。
【発明の効果】
【００１２】
本発明のパチンコ機設置島は、幕板の開放を検知手段により検知して、その情報を管理装置により管理することによって、球詰りが頻繁に起こる場所を特定できるようにした。また、営業時間外の幕板の開閉も把握でき不正行為を未然に防ぐことができる。
【実施例１】
【００１３】
次に図面と共に本発明の実施の形態を説明する。図１は本発明に係るパチンコ機設置島の正面図、図２は図１の中央断面図、図３は図１の側断面図である。パチンコ機設置島１は、角パイプ状の前後一対の柱体２，２を複数の横連結部材３を介して平行に連結して構成された支柱４に、パチンコ機５が背合せ状態で戴置されるカウンター６が横設され、該カウンター６の下方に腰板７を張設している。そして、パチンコ機５の上方に呼出ランプ８を設けた飾り板９を介して、躯体としての横フレーム１０ａに止着した蝶番１１によりパチンコ機５の列方向に分断されて複数の幕板１２の上端部が枢着されている。該幕板１２は、営業時間中に後述する補給樋１８，分流樋１９等での球詰り等を点検するために、図３鎖線に示すように必要に応じて前方に開放可能となるようにしている。前記幕板１２は１乃至複数台のパチンコ機５に対応して設けられるが、実施例において、２台のパチンコ機５に対応して１枚の幕板１２が設けられている。さらに、両側のパネル壁１３ａ，１３ｂと天井部を閉鎖するドーム状の天板１４により、パチンコ機設置島１内が密閉状態となるようにしている。また、前記パチンコ機５や呼出ランプ８等は主電源により駆動され、管理装置としてのホールコンピュータ２７により管理されている。
【００１４】
パチンコ機設置島１には球磨揚送機１５が設けられ、前記パネル壁１３ａに設けられた球計数器１６により計数された遊技者のパチンコ球及びパチンコ機５からのアウト球を回収樋１７により回収されたパチンコ球が磨かれる。そして、球磨揚送機１５で磨かれたパチンコ球は、パチンコ機設置島１の上部に傾斜して横設される断面凹形の補給樋１８に導かれ、分流樋１９を介して各パチンコ機５に補給される。なお、前記球磨揚送機１５は必ずしもパチンコ機設置島１に設けなければならないものではなく、他のパチンコ機設置島１から研磨されたパチンコ球を補給樋１８により導くようにしてもよい。
【００１５】
前記パチンコ機５は、機枠２０の前面に前面枠２１が開閉自在に装着され、その自由端を施錠装置により施錠するようにしている。そして、前記前面枠２１の前面には遊技盤２２が視認可能なガラス扉枠２３が設けられ、その下方に打球供給皿２４及び該打球供給皿２４の余剰球を貯留する余剰球受皿２５が設けられ、その側方に打球の強さを調節する操作ハンドル２６が設けられている。また、前記前面枠２１の裏面側には球タンク３０，球払出装置３１等を備えた機構板３２が装着され、該機構板３２に「大当り」確率等の遊技内容を制御する回路基盤３３が設けられている。
【００１６】
前記幕板１２の裏面のほぼ中央に位置して、該幕板１２の開放状態を保持する支持手段３５が躯体としての縦フレーム１０ｂに設けられている。前記支持手段３５は、図４及び図５に示すように縦フレーム１０ｂに固定する取付基部としての固定部材３６と、前記固定部材３６に略水平方向に回転自在に設けられ開放状態の幕板１２を支持する支持部材３７と、前記支持部材３７を前方に張出すように付勢する弾性部材としての巻ばね３８とで構成され、幕板１２の開放に伴って前記支持部材３７が従動する。前記固定部材３６は、縦フレーム１０ｂの側面に当接してビス着される平板３６ａの一側に前記支持部材３７を軸支する筒状の軸支部４０が設けられる。また、前記平板３６ａには、検知手段としてのマイクロスイッチ４１が設けられており、該マイクロスイッチ４１はスイッチボタン４１ａをアクチュエータ片４１ｂにより押圧する公知のものである。このように、支持手段３５に検知手段としてのマイクロスイッチ４１を設けてユニット化し、該支持手段３５の可動により幕板１２の開放を検知するようにすることにより、検知手段を別途躯体に取付けて幕板１２との細かな位置調整をする必要がなく、支持手段３５を躯体に取付けることで幕板１２の開放を検知することができる。
【００１７】
前記支持部材３７は、図４に示すように金属の丸棒を屈曲して略三角形状をしており、丸棒の両端を屈曲して支持部材３７の回動軸として形成した回動軸部４３と上面が略水平となる支持部３７ａと作業の邪魔とならないように斜状に形成した傾斜部３７ｂとで構成している。また、支持部３７ａの先端は弧状に屈曲させて、幕板１２との接触時に該幕板１２が傷つかないようにすると共に、幕板１２と接触しながら移動しやすいようにしている。前記回動軸４３には、前記マイクロスイッチ４１のアクチュエータ片４１ｂと接触して、スイッチボタン４１ａをオン・オフする可動体４４がビス４５により位置調整自在に設けられ、可動体４４の位置調整によりスイッチボタン４１ａのオン・オフ動作のタイミングを調整できるようにしている。前記可動体４４は、リング状のカム片であり、一部側方を周方向に突出して接触突部４４ａを形成して、前記アクチュエータ片４１ｂに接触してマイクロスイッチ４１を作動させるようにしている。なお、前記平板３６ａには前記接触突部４４ａの回動の妨げとならないように一部切欠きしている。前記巻ばね３８は、前記回動軸４３に巻装され、一端を支持部材３７の上部に係止させ、他端を固定部材３６の平板３６ａに当接係止している。そして、前記巻ばね３８は、支持部材３７の開き方向に付勢され、支持部材３７の開き角度が最大時（固定部材３６に対してほぼ直線状態）に付勢力は最小となり、支持部材３７を閉じた状態（固定部材３６に対してほぼ直交状態）で付勢力は最大となるように設けられている。また、前記マイクロスイッチ４１は、図６に示すように幕板１２が閉鎖した常態で、可動体４４の接触突部４４ａにより押圧された状態にある。このようにすることによって、幕板１２を僅かに開放すると、支持部材３７がすぐに従動することにより接触突部４４ａがアクチュエータ片４１ｂの押圧を解放することになり、幕板１２の開放を検知することができる。逆に、幕板１２が完全に閉鎖するまで該幕板１２の開放を検知し続けることになる。
【００１８】
また、前記検知手段としてのマイクロスイッチ４１は、図７に示すように開放検出回路４７としてコンデンサ４８が並列して接続されると共に、該コンデンサ４８の放電防止用のダイオード４９が接続されている。このため、前記コンデンサ４９は、主電源の投入状態で常に充電され、主電源の断電状態では充電されることはない。つまり、コンデンサ４８の荷電は、主電源の断電状態で幕板１２が開放されない限り放電されることはない。また、幕板１２の開放を検知することにより、該幕板１２の開放状態を報知する報知手段として、実施例において前記呼出ランプ８を点滅又は点灯させるようにしている。このとき、呼出ランプ８は通常の呼出し時の点灯（点滅）の仕方と区別し得る点灯（点滅）の仕方とするのが好ましい。そして、幕板１２の開放により点灯した呼出ランプ８は、リセット回路５０からの信号により消灯するようにしている。なお、リセット釦（図示せず）は、呼出ランプ８の点灯スイッチとは別途に設け、遊技者により操作し得ないようにするのが好ましい。さらに、ホールコンピュータ２７からのリセット操作によって、消灯するようにすると幕板１２の開閉管理が確実なものとなる。
【００１９】
次に、前記支持手段３５の作用を具体例と共に説明する。まず、主電源が投入されたホールの営業中について説明する。遊技者は球払出装置３２からパチンコ球が払出されないと、呼出ランプ８を点灯させて従業員を呼ぶ。そして、従業員は呼出ランプ８を消灯して、補給樋１８又は分流樋１９での球詰りを点検修理するために、幕板１２を上方に開放させる。すると、幕板１２の荷重により押されていた支持部材３７が、図３及び図６鎖線に示すように巻ばね３８の付勢力により幕板１２の回動に従動して、前方に張出すように水平方向に回動する。そして、幕板１２がほぼ９０度開いた状態で支持部材３７は固定部材３６に対してほぼ直線状態となり、該支持部材３７で保持される幕板１２の荷重は回動軸４３方向に向うため、幕板１２は確実に開放状態に保持され、作業者は両手を使用して補給樋１８又は分流樋１９を点検修理することができる。このとき、支持部材３７の回動に伴って可動体４４が回動し、接触突部４４ａがアクチュエータ片４１ｂの押圧を解放することにより、マイクロスイッチ４１のスイッチボタン４１ａが押圧から解放され、その検出信号が幕板１２の開放信号としてホールコンピュータ２７に出力される。そして、幕板１２が開放された日時，場所，開放時間等の情報がホールコンピュータ２７に記録保存処理されると共に、呼出ランプ８が点灯又は点滅し幕板１２の開放状態を報知する。
【００２０】
また、点検修理が終了して幕板１２を閉じるには、片手で幕板１２を持ち上げた状態で、他方の手で支持部材３７の先端を巻ばね３８の付勢に抗して奥方（図６矢印方向）に押し込む。すると、幕板１２の荷重が支持部材３７の回動方向にかかるため、幕板１２の荷重により支持部材３７は押し込まれ、幕板１２は閉じられる。このとき、支持部材３７が押し込まれるにしたがって巻ばね３８の付勢力は増大していくので、幕板１２が急激に閉じることがないため、作業者は幕板１２の下部で指を挟んだりして怪我をすることがなく、安全性に優れている。そして、支持部材３７の回動に伴って、可動体４４の接触突部４４ａがアクチュエータ片４１ｂを押圧して幕板１２は閉鎖状態となり、作業者はリセット釦を操作して呼出ランプ８を消灯することができる。当然のことではあるが、幕板１２の開放状態でリセット釦を操作しても、呼出ランプ８を消灯することができない。
【００２１】
このようにして、幕板１２の開放履歴をホールコンピュータ２７によって管理することにより、どこの幕板１２が頻繁に開放されて、どの補給樋１８，分流樋１９が球詰りを起こすのかが一目瞭然となり、頻繁に球詰りを起こす場所を特定することができて的確な修理を行うことができ、ひいては遊技者に迷惑を掛けずに遊技に集中して楽しんでもらうことができる。また、より確実な場所を特定するために、それぞれのパチンコ機５に対応させて幕板１２を設けるようにするのが好ましく、開放された幕板１２の裏側に位置する補給樋１８，分流樋１９の球詰りと判断することができる。
【００２２】
次に、主電源を断電した閉店時について説明する。なお、幕板１２の開放による支持手段３５の作用は前記営業時と同じであるので詳細な説明は省略する。侵入者が不正目的で幕板１２を開放して、パチンコ機５の裏面側から施錠装置を操作して前面枠２１を開放し、回路基盤３３を交換しようとした場合、幕板１２の開放時に支持部材３７が従動してマイクロスイッチ４１を作動させて幕板１２の開放状態を検知する。このとき、主電源が断電されているために、幕板１２の開放状態を報知する呼出ランプ８は点灯しない。しかし、マイクロスイッチ４１が作動することによって、開放検出回路４７内のコンデンサ４８に荷電された電荷が放電される。このとき、主電源が断電状態であるので該コンデンサ４８には充電されることはない。この状態で、営業開始準備のために主電源が投入されると、開放検出回路４７に電流が流れて前記コンデンサ４８が充電される。そのため、マイクロスイッチ４１がオンした状態と同じ状態となり、報知手段としての呼出ランプ８が点灯し、幕板１２の不正開放を報知する。同時に、信号がホールコンピュータ２７に出力される。この呼出ランプ８の点灯により、閉店中に幕板１２が開放され、その下方のパチンコ機５に不正がなされたことが判明するため、営業開始前にパチンコ機５になされた不正を排除することができ、不正に多量のパチンコ球が獲得される被害を未然に防ぐことができる。そして、開放信号の情報により開放時刻が特定でき、その後の不正防止対策に供することもできる。また、呼出ランプ８はリセット釦の操作により消灯される。なお、マイクロスイッチ４１は、幕板１２を僅かに開放した状態でも作動して幕板１２の開放を検知するため、支持部材３７が幕板１２を確実に支持しない状態で侵入者が不正行為を行ったとしても、コンデンサ４８の荷電は確実に放電されることになる。
【００２３】
このように、閉店時（主電源の非供給時）における不正行為の有無を監視し、不正行為があった場合にはその情報を開店時（主電源の供給時）に確実に報知することができ、不正行為による二次的被害を未然に防止することができるという効果を奏します。
【００２４】
なお、上記実施例では、支持部材３７を丸棒を屈曲させて形成するようにしたが、これのみに限定されることはなく、例えば金属板により支持部材３７を形成するようにしてもよく、好ましくは、幕板１２を支持する接触部を折り曲げ加工により接触面を大きく形成して、幕板１２の保持能力を高めるようにするのがよい。
【００２５】
また、実施例において、マイクロスイッチ４１の押圧を解放することによって、幕板１２の開放を検知するようにしたが、逆にマイクロスイッチ４１を押圧することにより幕板１２の開放を検知するようにしてもよい。このとき、前記可動体４４の形状を変化させることにより、マイクロスイッチ４１を作動させるタイミング（幕板１２の開放検知のタイミング）を変えることができる。例えば、可動体４４に設けた接触突部４４ａを周方向に広く形成することで、前記実施例と同様に、幕板１２の開放を早いタイミングで検知させることができる。また、アクチュエータ片４１ｂは必ず設けなければならないものではなく、可動体４４によりスイッチボタン４１ａを直接押圧するようにしてもよい。
【００２６】
なお、前記検知手段はマイクロスイッチ４１に限定されるものではなく、幕板１２が開放された状態を電気的に検出するものであれば、構成や取付位置等は適宜に変更可能である。例えば、検知手段をマグネットスイッチとしてもよく、さらに発光部と受光部とからなる光電式スイッチとした場合には、前記可動体４４は前記発光部と受光部間に入り込んで光軸を遮断する遮蔽板とすればよい。検知手段を光電式スイッチとすることにより、作動させるタイミングがとりやすく、どの状態で幕板１２の開放を検知するかのタイミングを決める細かな位置調整が可能となる。
【００２７】
また、幕板１２の保持手段３５は必ずしもパチンコ機設置島の躯体に設けることはなく、保持手段３５を幕板１２側に設けて、支持部材３７を躯体若しくは躯体に設けた係止部に係止させて、該幕板１２の開放状態を保持するようにしてもよい。このとき、支持部材３７は幕板１２の開放に伴い従動して、自重により垂下して躯体又は係止部に係止するようにしても、弾性部材の付勢を介して垂下させて係止するようにしてもよい。
【００２８】
なお、報知手段として呼出ランプ８を兼用するようにしたが、別途パトライト等の報知用のランプを設けるようにしてもよい。また、報知手段は、ランプ等の視覚的報知に限定されることなく、音声により報知するようにしてもよく、例えば幕板１２の開放信号がホールコンピュータ２７に送信されると、該ホールコンピュータ２７により音声データを選択し、該音声データをホールに設けられるスピーカ，従業員が装着するイヤホン等の音声出力手段に供給することにより音声を発生させ、幕板の開放を知らせるようにすればよい。また、報知状態の解除は、ホールコンピュータ２７のリセット操作により行うようにすればよい。
【産業上の利用可能性】
【００２９】
本発明は、幕板の開閉を検知することによって、営業時間外の不正行為が判明できることから、パチンコ機と同様にコインを使用して遊技するスロットマシンを複数列設した遊技機設置島にも適用することができる。
【図面の簡単な説明】
【００３０】
【図１】本発明に係るパチンコ機設置島の正面図である。
【図２】図１のパチンコ機設置島の内部を示す中央断面図である。
【図３】図１のパチンコ機設置島の側断面図である。
【図４】幕板の保持手段の斜視図である。
【図５】幕板の保持状態を示す要部斜視図である。
【図６】保持手段の作用を示す平面図である。
【図７】本発明の実施例を示す回路図である。
【符号の説明】
【００３１】
１        パチンコ機設置島
５        パチンコ機
１０ａ    横フレーム（躯体）
１０ｂ    縦フレーム（躯体）
１２      幕板
２７      ホールコンピュータ（管理装置）
３５      支持手段
３６      固定部材（取付基部）
３７      支持部材
３８      巻ばね（弾性部材）
４１      マイクロスイッチ（検知手段）
４４      可動体
【図１】
2005066132.tif 000003
【図２】
2005066132.tif 000004
【図３】
2005066132.tif 000005
【図４】
2005066132.tif 000006
【図５】
2005066132.tif 000007
【図６】
2005066132.tif 000008
【図７】
2005066132.tif 000009